(57)【要約】【課題】  部品点数の増加を招くことなく沈下防止を図ることができる沈下防止杭を、また、硬い岩等の障害物があった場合でも沈下防止を阻害されることがない沈下防止杭を提供する。【解決手段】  一端側から他端側に向かって複数のスリット１１１が形成され、スリット１１１間が舌片部１１２となったパイプ状の杭本体１１０と、この杭本体１１０の一端側に離脱可能に取り付けられた先鋭部１２０とを備えており、前記先鋭部１２０は先端が尖った本体部１２１と、この本体部１２１の後端側であり、前記杭本体１１０の一端側が嵌まり込む嵌合部１２２とが一体に形成されており、先鋭部１２０が杭本体１１０の一端側から離脱すると、杭本体１１０の一端側に形成された舌片部１１２が外側に向かって拡径するようになっている。【選択図】      図３
2011236578.tif 000002
【特許請求の範囲】
【請求項１】
一端側から他端側に向かって複数のスリットが形成され、スリット間が舌片部となったパイプ状の杭本体と、この杭本体の一端側に離脱可能に取り付けられた先鋭部とを具備しており、前記先鋭部は先端が尖った本体部と、この本体部の後端側であり、前記杭本体の一端側が嵌まり込む嵌合部とが一体に形成されており、先鋭部が杭本体の一端側から離脱すると、杭本体の一端側に形成された舌片部が外側に向かって拡径することを特徴とする沈下防止杭。
【請求項２】
前記舌片部には、他の部分より脆弱な脆弱部が形成されていることを特徴とする請求項１記載の沈下防止杭。
【請求項３】
前記脆弱部は、孔であることを特徴とする請求項２記載の沈下防止杭。
【請求項４】
前記先鋭部の本体部は、円錐形状であることを特徴とする請求項１、２又は３記載の沈下防止杭。
【請求項５】
前記舌片部の先端は、尖っていることを特徴とする請求項１、２、３又は４記載の沈下防止杭。
【請求項６】
前記スリットの長さは、杭本体が地面に打ち込まれる寸法より短く設定されていることを特徴とする請求項１、２、３、４又は５記載の沈下防止杭。
【発明の詳細な説明】
【技術分野】
【０００１】
本発明は、工事用足場等に用いられる沈下防止杭に関する。
【背景技術】
【０００２】
工事現場で用いられる足場は、一般に単管と称されるスチール製のパイプをジョイント等で組み合わせることで構築される。
この足場の基礎は、先端に円錐状の尖端部を取り付けた単管を地面に打ち込んで構成すくことがある（特許文献１参照）。
【０００３】
しかし、単に単管を地面に打ち込んだだけでは、使用中の荷重のため、単管がさらに地面に沈下してしまい、足場全体が歪んでしまうおそれがある。
かかるおそれを防止するために、単管の沈下を防止するために、地面に打ち込んだ単管の先端側横側から張り出し部材を張り出すようにした杭が創案されている（特許文献２参照）。
【０００４】
【特許文献１】特開平０７−３００８５４
【特許文献２】特開２００５−００９２９５
【発明の開示】
【発明が解決しようとする課題】
【０００５】
しかしながら、特許文献２記載の杭は、地面に打ち込まれる杭本体とは別体の張り出し部材を杭本体の先端内側に予め挿入しておき、杭本体を地面に打ち込んだ後に杭本体に押し込んだ押圧棒によって張り出し部材を杭本体から外側に突出させるようにしている。
すなわち、杭本体と張り出し部材とは別体であり、部品点数の増加という問題を有している。
また、張り出し部材が突出する部分に硬い岩等の障害物があった場合、その障害物に阻害されて張り出し部材の突出が阻止され、沈下防止という目的が果たされない場合もある。
【０００６】
本発明は、上記事情に鑑みて創案されたもので、部品点数の増加を招くことなく沈下防止を図ることができる沈下防止杭を、また、硬い岩等の障害物があった場合でも沈下防止を阻害されることがない沈下防止杭を提供することを目的としている。
【課題を解決するための手段】
【０００７】
本発明に係る沈下防止杭は、一端側から他端側に向かって複数のスリットが形成され、スリット間が舌片部となったパイプ状の杭本体と、この杭本体の一端側に離脱可能に取り付けられた先鋭部とを備えており、前記先鋭部は先端が尖った本体部と、この本体部の後端側であり、前記杭本体の一端側が嵌まり込む嵌合部とが一体に形成されており、先鋭部が杭本体の一端側から離脱すると、杭本体の一端側に形成された舌片部が外側に向かって拡径するようになっている。
【０００８】
前記舌片部には、他の部分より脆弱な脆弱部、例えば、孔が形成されている。
【０００９】
前記先鋭部の本体部は、円錐形状である。
【００１０】
前記舌片部の先端は、尖っている。
【００１１】
前記スリットの長さは、杭本体が地面に打ち込まれる寸法より短く設定されている。
【発明の効果】
【００１２】
本発明に係る沈下防止杭は、一端側から他端側に向かって複数のスリットが形成され、スリット間が舌片部となったパイプ状の杭本体と、この杭本体の一端側に離脱可能に取り付けられた先鋭部とを備えており、前記先鋭部は先端が尖った本体部と、この本体部の後端側であり、前記杭本体の一端側が嵌まり込む嵌合部とが一体に形成されており、先鋭部が杭本体の一端側から離脱すると、杭本体の一端側に形成された舌片部が外側に向かって拡径するようになっているので、地面に打ち込んだ後に、先端の先鋭部を離脱させ、さらに本体部を地面に打ち込むと、舌片部が自然と拡径する。このため、従来のこの種の沈下防止杭のように別部品を用いることなく、沈下を防止することが可能となっている。
【００１３】
また、杭本体が打ち込まれる先に硬い岩等の障害物があったとしても、舌片部には、他の部分より脆弱な脆弱部、例えば、孔が形成されているので、その部分から舌片部が自然と変形する。このため、硬い岩等の障害物に阻まれて杭本体の打ち込みが阻止されることはない。
【図面の簡単な説明】
【００１４】
【図１】本発明の実施の形態に係る沈下防止杭の概略的斜視図である。
【図２】本発明の実施の形態に係る沈下防止杭を構成する杭本体の概略的斜視図である。
【図３】本発明の実施の形態に係る沈下防止杭の使用方法を説明する概略的説明図である。
【図４】本発明の他の実施の形態に係る沈下防止杭を構成する杭本体の概略的斜視図である。
【図５】本発明の他の実施の形態に係る沈下防止杭での杭本体の舌片部の変形を示す概略的説明図である。
【図６】本発明のその他の実施の形態に係る沈下防止杭を構成する杭本体の概略的斜視図である。
【図７】本発明のさらにその他の実施の形態に係る沈下防止杭を構成する杭本体の概略的斜視図である。
【発明を実施するための形態】
【００１５】
本発明の実施の形態に係る沈下防止杭１００は、一端側から他端側に向かって複数のスリット１１１が形成され、スリット１１１間が舌片部１１２となったパイプ状の杭本体１１０と、この杭本体１１０の一端側に離脱可能に取り付けられた先鋭部１２０とを備えており、前記先鋭部１２０は先端が尖った本体部１２１と、この本体部１２１の後端側であり、前記杭本体１１０の一端側が嵌まり込む嵌合部１２２とが一体に形成されており、先鋭部１２０が杭本体１１０の一端側から離脱すると、杭本体１１０の一端側に形成された舌片部１１２が外側に向かって拡径するようになっている。
【００１６】
まず、前記杭本体１１０は、丸パイプ状であり、その一端側には他端側に向かった６個のスリット１１１が形成されている。このスリット１１１は、杭本体１１０が地面に打ち込まれる寸法より短く設定されている。すなわち、杭本体１１０が地面に打ち込まれると、スリット１１１は完全に地面中に入り込んでしまうことになる。
なお、このスリット１１１は、６０度間隔で形成されたている。
【００１７】
前記杭本体１１０は、スチール製であり、スリット１１１を形成することで、スリット１１１とスリット１１１との間の舌片部１１２は応力により外側に向かって自然と拡径するようになっている（図２参照）。
【００１８】
一方、前記先鋭部１２０は、杭本体１１０と同様にスチール製であり、底面の直径が前記杭本体１１０の直径とほぼ同等の略円錐形状の本体部１２１と、この本体部１２１の後端側から突出する円筒状の嵌合部１２２とが一体に形成されたものである。前記本体部１２１は、沈下防止杭１００を地面に打ち込む際の先端となる部分である。
【００１９】
前記嵌合部１２２は、内側に向かって絞った杭本体１１０の６個の舌片部１１２が嵌め込まれる。すなわち、嵌合部１２２に６個の舌片部１１２を嵌め込むことで杭本体１１０に先鋭部１２０が取り付けられることになるのである。
なお、杭本体１００の一端側である舌片部１１２は、単に嵌合部１２２に嵌め込まれるだけであって、溶接その他の一体化手段によって一体化されているわけではない。すなわち、先鋭部１２０は、杭本体１１０に対して離脱可能に取り付けられているのである。
【００２０】
この舌片部１１２の先端は図２等に示すように尖っている。このため、先鋭部１２０が杭本体１１０から離脱した後に、さらなる杭本体１１０の打ち込みがスムーズにいくようになっている。
【００２１】
次に、上述したような構成の沈下防止杭１００の使用手順について図３を参照しつつ説明する。
杭本体１１０の一端側に先鋭部１２０を取り付けた状態で、先鋭部１２０から地面Ｇに打ち込む（図３（Ａ）参照）。
杭本体１１０を目的の深さの手前、例えば、５０ｃｍ程度手前まで打ち込んだ時点で打ち込みを一旦停止する（図３（Ｂ）参照）。
なお、この時点で舌片部１１２はすべて地面Ｇ下に位置することが望ましい。すなわち、舌片部１１２の一部でも地面Ｇ上に位置すると、後述する先鋭部２００の離脱後の杭本体１１０の打ち込みにより，舌片部１１２によって地面Ｇの表面の表面が掘り起こされることがあるためである。
スリット１１１の長さが、杭本体１１０が地面Ｇに打ち込まれる寸法より短く設定されているので、舌片部１１２がすべて地面Ｇ下に位置することができるのである。
【００２２】
図３（Ｃ）に示すように、この状態で杭本体１１０の他端側から離脱棒２００を挿入する。この離脱棒２００は、杭本体１１０より長く設定されたスチール製の棒体である。
離脱棒２００の先端を先鋭部１２０の本体部１２１の内側にまで挿入した状態で、靴本体１１０の他端側から突出している離脱棒２００の後端をハンマー等で打ち込む。
この離脱棒２００の打ち込みにより、先鋭部１２０は杭本体１１０の一端側から離脱する。さらに、離脱棒２００を打ち込んで先鋭部１２０を杭本体１１０の一端側から遠ざける。
先鋭部１２０が杭本体１１０の一端側から離脱しているため、地面Ｇの中でも杭本体１１０の一端側の舌片部１１２は外側に向かって拡径している。
なお、図３（Ｃ）の状態では、舌片部１１２は地面Ｇ中にあるため、図３（Ｃ）に示すほど拡径しているわけではないが、説明の都合上、舌片１１２はより拡径して描写されている。
【００２３】
先鋭部１２０が杭本体１１０から離脱した状態で、離脱棒２００を杭本体１１０から抜き取り、さらに杭本体１１０を目的の深さまで地面Ｇに打ち込む。
このさらなる杭本体１１０の打ち込みにより、杭本体１１０は前記舌片部１１２をさらに外側に拡径させながら、地面Ｇに打ち込まれることになる（図３（Ｄ）参照）。
【００２４】
このような杭本体１１０を基礎として足場を築いた場合、地表面側から見た場合、舌片部１１２が放射状に拡径した状態で杭本体１１０が地面Ｇに打ち込まれているので、杭本体１１０に荷重がかかっても杭本体１１０がさらに沈下することはない。
【００２５】
次に、図４を参照しつつ本発明の他の実施の形態に係る沈下防止杭を構成する本体部１１０Ａについて説明する。
この本体部１１０Ａが上述した沈下防止杭１００の本体部１１０と相違する点は、舌片部１１２Ａに脆弱部が設けられている点である。
この脆弱部とは、舌片部１１２Ａの他の部分より脆弱に形成されている部分である。例えば、図４に示すように、舌片部１１２Ａの一部に孔１１３Ａを開設することで脆弱部とすることができる。
【００２６】
かかる脆弱部は、以下のような場合にその効果を発揮する。
すなわち、図５（Ａ）に示すように、地面に打ち込まれた沈下防止杭１００の先端部１２０Ａが硬い岩等の障害物Ｒに接触してしまったなど、それ以上の打ち込みが困難になった場合でも、舌片部１１２Ａが脆弱部である孔１１３Ａが開設された部分から外側に向かった変形し、杭本体１１０Ａの先端側があたかも提灯のように変形するので、沈下防止を図ることができるのである。
【００２７】
また、図５（Ｂ）に示すように、杭本体１１０Ａから先鋭部１２０Ａが離脱した後に杭本体１１０Ａをさらに地面に打ち込んでいるとき、舌片部１１２Ａの先端側に硬い岩等の強固な障害物Ｒがあった場合、そのままではその時点で杭本体１１０Ａの打ち込みが不可能になってしまう。
しかし、舌片部１１２Ａに脆弱部としての孔１１３Ａがあると、図５に示すように、その脆弱部である孔１１３Ａの部分から舌片部１１２Ａが変形するため、変形した舌片部１１２Ａが障害物Ｒを避けるようになるので、杭本体１１０Ａのさらなる打ち込みが可能になる。
【００２８】
なお、脆弱部としては、図４に示すように舌片部１１２Ａに孔１１３Ａを開設するタイプの他に、図６に示すように舌片部１１２Ａに幅方向に沿った凹溝１１４Ａを形成するタイプがある。なお、前記凹溝１１４Ａは、舌片部１１２Ａの表側だけでなく、裏側に形成することも、表裏両面に形成することも可能である。
また、脆弱部として開設される孔１１３Ａは丸孔だけでなく、どのような孔であってもよいし、１つの舌片部１１２Ａに２個以上開設してもよいことはいうまでもない。
もちろん、凹溝１１４Ａのように溝からなる脆弱部も１つの２個以上形成してもよい。
【００２９】
さらに、上述した実施の形態では、舌片部１１２（１１２Ａ）の先端は尖っているとしたが、図７に示すように尖っていない舌片部１１２Ｂでもよいことはもちろんである。
【００３０】
また、上述した実施の形態では、先鋭部１２０は円錐形の本体部１２１を有するものとしたが、この本体部１２１は角錐型でも、円柱を斜めに切断した形状であってもよい。つまりは、地面に打ち込まれ易いように尖って形成されていることが重要なのである。
【符号の説明】
【００３１】
１００    沈下防止杭
１１０    本体部
１１１    スリット
１１２    舌片部
１２０    先鋭部
１２１    本体部
１２２    嵌合部
【図１】
2011236578.tif 000003
【図２】
2011236578.tif 000004
【図３】
2011236578.tif 000005
【図４】
2011236578.tif 000006
【図５】
2011236578.tif 000007
【図６】
2011236578.tif 000008
【図７】
2011236578.tif 000009